(57)【要約】【課題】携行性を良くした携帯電話機を提供する。【解決手段】本発明の携帯電話機１は、締結部５，６を有するブレスレット式の携帯電話機であり、第１の筺体１１の表示面には液晶表示装置２１が設けられ、第２の筺体１２には入力部が設けられ、締結部５，６を用いて締結することにより腕（手首）に装着して腕輪として携行することができる。【選択図】図１
2013214933.tif 000002
【特許請求の範囲】
【請求項１】
音声入力部と音声出力部とを有する携帯電話機であって、
表示部が設けられている第１の筺体と、
この第１の筺体と折り曲げ自在に第１の連結部を介して連結され、入力部が設けられている第２の筺体と、
この第２の筺体と折り曲げ自在に連結されている第２の連結部と、
前記第１の筺体と前記第１の連結部と前記第２の筺体と前記第２の連結部とを腕輪として締結するための締結部と、
を有し、
前記第１の連結部、または前記第２の連結部に前記携帯電話機を構成する電子部品、または前記携帯電話機のバッテリを搭載し、
前記締結部により締結および締結解除の操作ができ、前記締結部で締結されることにより腕輪として携行されることを特徴とする携帯電話機。
【請求項２】
音声入力部と音声出力部とを有する携帯電話機であって、
表示部が設けられている第１の筺体と、
この第１の筺体と折り曲げ自在に第１の連結部を介して連結され、第１の入力部が設けられている第２の筺体と、
この第２の筺体と折り曲げ自在に第２の連結部を介して連結され、第２の入力部が設けられている第３の筺体と、
この第３の筺体と折り曲げ自在に連結されている第３の連結部と、
前記第１の筺体と前記第１の連結部と前記第２の筺体と前記第２の連結部と前記第３の筺体と前記第３の連結部とを腕輪として締結するための締結部と、
を有し、
前記第１の連結部、または前記第２の連結部、または前記第３の連結部に前記携帯電話機を構成する電子部品、または前記携帯電話機のバッテリを搭載し、
前記締結部により締結および締結解除の操作ができ、前記締結部で締結されることにより腕輪として携行されることを特徴とする携帯電話機。
【請求項３】
音声入力部と音声出力部とを有し、携帯電話機または固定電話機への電話の発着信を無線通信によって通話することのできる電話機の子機であって、
表示部と入力部とが設けられている筺体と、
この筺体と折り曲げ自在に連結されている連結部と、
前記筺体と前記連結部とを腕輪として締結するための締結部と、
を有し、
前記締結部により締結および締結解除の操作ができ、前記締結部で締結されることにより腕輪として携行されることを特徴とする電話機の子機。
【発明の詳細な説明】
【技術分野】
【０００１】  この発明は、例えばＰＨＳ（ｐｅｒｓｏｎａｌ  ｈａｎｄｙ  ｐｈｏｎｅ  ｓｙｓｔｅｍ）を含む携帯電話機において、携行性を良くした携帯電話機に関する。
【背景技術】
【０００２】  従来、携帯電話機は、スーツのポケットに入れると邪魔なのでカバンに入れたり、女性であればハンドバックの中に入れたりしている。あるいは、ネックストラップに付して首からぶら下げたりしていたが、決してカッコの良いものではなかった。
しかしながら、カバンやハンドバックに入れていると着信音に気付かずタイミング良く通話をすることができないということがあった。【０００３】  二つ折り式携帯電話機にして表示部とキー部（入力部）とを分けて比較的小さい形状にしたものがあるが（例えば特許文献１）、スーツのポケットでは邪魔であった。
このように携帯電話機を携行する際、いつものカバンやハンドバックに入れ忘れたり、自宅に置き忘れたり、カバンやバンドバックに入ったままだと着信音に気が付かないということがあった。その解決方法として、腕時計のように腕（手首）に装着する腕携帯電話が提案されている（例えば特許文献２）【０００４】  しかしながら、腕携帯電話では使い勝ってが悪く、実用性には程遠かった。
【先行技術文献】
【特許文献】
【０００５】
【特許文献１】  特許公開２００４−４８７１９号公報
【特許文献２】  特許公開２００２−１１１８２１号公報
【発明の概要】
【発明が解決しようとする課題】
【０００６】  上記したように、携帯電話機においては、カバンやハンドバックに入れ忘れたり、自宅に置き忘れたり、カバンやハンドバックに入ったままだと着信に気が付かないといった携行性が悪いという課題があった。
この発明の目的は、携行性を良くした携帯電話機を提供することである。
【課題を解決するための手段】
【０００７】  そこで、本発明は、音声入力部と音声出力部とを有する携帯電話機であって、表示部が設けられている第１の筺体と、この第１の筺体と折り曲げ自在に第１の連結部を介して連結され、入力部が設けられている第２の筺体と、この第２の筺体と折り曲げ自在に連結されている第２の連結部と、前記第１の筺体と前記第１の連結部と前記第２の筺体と前記第２の連結部とを締結するための締結部とを有し、前記第１の連結部、または前記第２の連結部に前記携帯電話機を構成する電子部品、または前記携帯電話機のバッテリを搭載し、前記締結部により締結および締結解除の操作ができ、前記締結部で締結されることにより腕輪として携行されるようにしたものである。
【発明の効果】
【０００８】  本発明は、携行性を良くした携帯電話機を提供することが可能となる。
【図面の簡単な説明】
【０００９】
【図１】本発明の第１の実施形態が適用可能な携帯電話機（ＰＨＳを含む）の一例を示す外観図。
【図２】図１に示す携帯電話機を丸めてＡ方向から見た状態を示す外観図。
【図３】本発明の第２の実施形態が適用可能な携帯電話機（ＰＨＳを含む）の一例を示す外観図。
【図４】本発明の第３の実施形態が適用可能な電話機の子機の一例を示す外観図。
【発明を実施するための形態】
【００１０】  まず、第１の実施形態について説明する。
図１は、この発明の第１の実施形態に係る携帯電話機１の外観構成を示すものである。すなわち、この携帯電話機１には、音声を入力するためのマイクが配置された音声入力部１０と、音声を出力するためのスピーカが配置された音声出力部２０とが設けられている。なお、設定により音声出力部２０からの出力を大きくして音声出力部２０に耳を当てることなくハンズフリーで通話することができる。
【００１１】  本携帯電話機１は、第１の筺体１１、第２の筺体１２とから構成されている。
第１の筺体１１の表示面には、液晶表示装置（表示部）２１が設けられている。
【００１２】  第２の筺体１２には、テンキーを含む複数のキーで構成される入力部２２が設けられている。
【００１３】  また、図１は、実際の携帯電話機とほぼ同じ寸法で作図されている。例えば、第１の筺体１１は、図上で縦の長さが４０ｍｍ、横の長さが７０ｍｍであり、液晶表示装置２１は、図上で縦の長さが３２ｍｍ、横の長さが５０ｍｍである。
【００１４】  さらに、携帯電話機１は、第１の筺体１１と第２の筺体１２とが折り曲げ自在にヒンジ部２ａと中間部２ｂとヒンジ部２ｃとを介して連結されている。さらに第２の筺体１２には折り曲げ自在にヒンジ部３ａと中間部３ｂとヒンジ部３ｃと中間部３ｄとヒンジ部３ｅと中間部３ｆとヒンジ部３ｇと中間部３ｈとが連結されている。
【００１５】  なお、ヒンジ部２ａと中間部２ｂとヒンジ部２ｃとは、総称して以下に連結部２として記述する。ヒンジ部３ａと中間部３ｂとヒンジ部３ｃと中間部３ｄとヒンジ部３ｅと中間部３ｆとヒンジ部３ｇと中間部３ｈとは、総称して以下に連結部３として記述する。
また、連結部２，３には、携帯電話機１を構成する電子部品（図示せず）と携帯電話機１のバッテリ（図示せず）とを搭載するようにしてもよい。
【００１６】  さらに、携帯電話機１は、第１の筺体１１の一端に連結された連結部２と反対の他端に連結された締結部５、中間部３ｈの一端に連結されたヒンジ部３ｇと反対の他端に連結された締結部６とが設けられている。締結部５と締結部６とは、携帯電話機１を折り曲げて丸めることにより締結および締結解除の操作が可能で、図１は締結解除の状態を示している。
なお、締結部５，６は、第１の筺体１１と連結部２と第２の筺体１２と連結部３とを腕輪として締結するためのものであるので、現位置（連結線部）に限らずいずれかの折り曲げ位置（連結線部）に設けるようにしてもよい。
【００１７】  図２は、携帯電話機１を折り曲げて丸めることにより、締結部５と締結部６とを締結した状態で、図１におけるＡ方向から見た状態を示すものである。
すなわち、図２に示すように携帯電話機１は、締結部５と締結部６とを締結して腕（手首）に装着することが可能なものであり、腕輪（ブレスレッド）として携行することができる。すなわち、携帯電話機１はブレスレット型の携帯電話機である。
この場合、第１の筺体１１の表示面と第２の筺体１２の表示面を外側にして腕（手首）に装着した場合、携帯電話機１の表示機能を腕（手首）に装着したまま視認することができ、携帯電話機１の入力機能を操作することができる。
【００１８】  また、第１の筺体１１の表示面と反対の背面を外側にして腕（手首）に装着した場合、携帯電話機１の背面に装飾（例えば、デコレーション携帯にする）を施しておシャレに携帯電話機１の携行を楽しむことができる。ここで、携帯電話機１の背面とは、第１の筺体１１の表示面と反対の背面に加えて第２の筺体１２の背面と連結部２，３とを含んでもよい。なお、背面を外側にした場合、入力部２２のキーによる凹凸が気になるようであれば、例えばテニス用のリストバンドを腕（手首）に装着したその上に携帯電話機１を装着すればよい。
【００１９】  なお、このような目的から腕（手首）周りに合わせて締結部５と締結部６の長さは変えることができる。
また、連結部２，３は、上述した構成でなくてもよく、例えば第１の筺体１１と第２の筺体１２と連結部２，３とが柔らかい樹脂で一体となった構成にしてもよく、要は腕（手首）に装着し易くできればよい。
なお、図２も実際の携帯電話機とほぼ同じ寸法で作図され、携帯電話機１が腕（手首）周りが、例えば１９ｃｍぐらいに対応するように描かれている。
【００２０】  以上説明したように上記第１の実施形態によれば、携帯電話機として腕（手首）に装着して腕輪（ブレスレット）とすることにより、携行に極めて便利な携帯電話機（ＰＨＳを含む）を提供することができる。
また、病院などで使用されるようなＰＨＳにおいても、腕（手首）に装着して腕輪（ブレスレット）とすることにより、看護師の作業性を向上させ、携行に極めて便利な携帯電話機（ＰＨＳ）を提供することができる。
なお、上記第１の実施形態では、表示部に液晶表示装置を用いたが有機ＥＬの表示装置でもよく、要は薄型で表示できればよい。
【００２１】  次に、第２の実施形態について説明する。なお、第１の実施形態と同一箇所には同一符号を付して必要でなければ説明を省略している。
図３は、この発明の第２の実施形態に係る携帯電話機３０の外観構成を示すものである。すなわち、この携帯電話機３０には、音声を入力するためのマイクが配置された音声入力部１０と、音声を出力するためのスピーカが配置された音声出力部２０が設けられている。なお、設定により音声出力部２０からの出力を大きくして音声出力部２０に耳を当てることなくハンズフリーで通話することができる。
【００２２】  携帯電話機３０は、第１の筺体３１、第２の筺体３２、第３の筺体３３とから構成されている。
第１の筺体３１の表示面には、液晶表示装置（表示部）２１が設けられている。
【００２３】  第２の筺体３２には、複数のキーで構成される第１の入力部２３が設けられている。
第３の筺体３３には、テンキーを含む複数のキーで構成される第２の入力部２４が設けられている。
【００２４】  また、図３は、実際の携帯電話機とほぼ同じ寸法で作図されている。例えば、第１の筺体３１は、図上で縦の長さが４０ｍｍ、横の長さが７０ｍｍである。なお、第２の筺体３２と第３の筺体３３も同様の寸法である。
【００２５】  さらに、携帯電話機３０は、第１の筺体３１と第２の筺体３２とが折り曲げ自在にヒンジ部２ａと中間部２ｂとヒンジ部２ｃとを介して連結され、第２の筺体３２と第３の筺体３３とが折り曲げ自在にヒンジ部３ａと中間部３ｂとヒンジ部３ｃとを介して連結されている。さらに第３の筺体３３には折り曲げ自在にヒンジ部４ａと中間部４ｂとヒンジ部４ｃと中間部４ｄとが連結されている。
【００２６】  なお、ヒンジ部２ａと中間部２ｂとヒンジ部２ｃとは、総称して以下に連結部２として記述する。ヒンジ部３ａと中間部３ｂとヒンジ部３ｃとは、総称して以下に連結部３として記述する。ヒンジ部４ａと中間部４ｂとヒンジ部４ｃと中間部４ｄとは、総称して以下に連結部４として記述する。
また、連結部２、連結部３、連結部４には、携帯電話機３０を構成する電子部品（図示せず）と携帯電話機３０のバッテリ（図示せず）とを搭載するようにしてもよい。
【００２７】  さらに、携帯電話機３０は、第１の筺体３１の一端に連結された連結部２と反対の他端に連結された締結部５、中間部４ｄの一端に連結されたヒンジ部４ｃと反対の他端に連結された締結部６とが設けられている。締結部５と締結部６とは、携帯電話機３０を折り曲げて丸めることにより、締結および締結解除の操作が可能で図３は締結解除の状態を示している。
なお、締結部５，６は、第１の筺体３１と連結部２と第２の筺体３２と連結部３と第３の筺体３３と連結部４とを腕輪として締結するためのものであるので、現位置（連結線部）に限らずいずれかの折り曲げ位置（連結線部）に設けるようにしてもよい。
【００２８】  携帯電話機３０は、締結部５と締結部６とを締結して腕（手首）に装着することが可能なものであり、腕輪（ブレスレッド）として携行することができる。すなわち、携帯電話機３０はブレスレット型の携帯電話機である。
この場合、第１の筺体３１の表示面、第２の筺体３２の入力面、第３の筺体３３の入力面を外側にして腕（手首）に装着した場合、携帯電話機３０の表示機能を腕（手首）に装着したまま視認することができ、携帯電話機３０の入力機能を操作することができる。
【００２９】  また、第１の筺体３１の表示面と反対の背面を外側にして腕（手首）に装着した場合、携帯電話機３０の背面に装飾（例えば、デコレーション携帯にする）を施しておシャレに携帯電話機３０の携行を楽しむことができる。ここで、携帯電話機３０の背面とは、第１の筺体３１の表示面と反対の背面に加えて第２の筺体３２の背面と第３の筺体３３の背面と連結部２，３，４とを含んでもよい。なお、背面を外側にした場合、第１の入力部２３と第２の入力部２４のキーによる凹凸が気になるようであれば、例えばテニス用のリストバンドを腕（手首）に装着したその上に携帯電話機３０を装着すればよい。
【００３０】  なお、このような目的から腕（手首）周りに合わせて締結部５と締結部６の長さは変えることができる。
また、連結部２，３，４は、上述した構成でなくてもよく、例えば第１の筺体３１と第２の筺体３２と第３の筺体３３と連結部２，３，４とが柔らかい樹脂で一体となった構成にしてもよく、要は腕（手首）に装着し易くできればよい。
【００３１】  以上説明したように上記第２の実施形態によれば、入力部を二つにしたことでキーの操作性が向上し、且つ携帯電話機として腕（手首）に装着して腕輪（ブレスレット）とすることにより、携行に極めて便利な携帯電話機（ＰＨＳを含む）を提供することができる。
また、病院などで使用されるようなＰＨＳにおいても、腕（手首）に装着して腕輪（ブレスレット）とすることにより、看護師の作業性を向上させ、携行に極めて便利な携帯電話機（ＰＨＳ）を提供することができる。
なお、上記第２の実施形態では、表示部に液晶表示装置を用いたが有機ＥＬの表示装置でもよく、要は薄型で表示できればよい。
【００３２】  次に、第３の実施形態について説明する。なお、第１の実施形態と同一箇所には同一符号を付して必要でなければ説明を省略している。
図４は、この発明の第３の実施形態に係る携帯電話機（スマートフォンを含む）または固定電話機などの電話機の子機４０としての外観構成を示すものである。すなわち、この電話機の子機４０には、音声を入力するためのマイクが配置された音声入力部１０と、音声を出力するためのスピーカが配置された音声出力部２０とが設けられている。なお、設定により音声出力部２０からの出力を大きくして音声出力部２０に耳を当てることなくハンズフリーで通話することができる。
【００３３】  電話機の子機４０は、筺体４１を有している。筺体４１には図示しないバイブレータ機能が設けられている。
筺体４１の表面には、液晶表示装置４３と受信キー４４と切断キー４５とが設けられている（表示部と入力部）。
【００３４】  さらに、電話機の子機４０は、筺体４１の一端に折り曲げ自在にヒンジ部４２ａと中間部４２ｂとヒンジ部４２ｃと中間部４２ｄとヒンジ部４２ｅと中間部４２ｆとヒンジ部４２ｇと中間部４２ｈとヒンジ部４２ｉと中間部４２ｊとヒンジ部４２ｋと中間部４２ｍとが連結されている。
【００３５】  なお、ヒンジ部４２ａと中間部４２ｂとヒンジ部４２ｃと中間部４２ｄとヒンジ部４２ｅと中間部４２ｆとヒンジ部４２ｇと中間部４２ｈとヒンジ部４２ｉと中間部４２ｊとヒンジ部４２ｋと中間部４２ｍとは、総称して以下に連結部４２として記述する。
なお、連結部４２には、電話機の子機４０を構成する電子部品（図示せず）と、電話機の子機４０のバッテリ（図示せず）とを搭載するようにしてもよい。
【００３６】  さらに、電話機の子機４０は、筺体４１の一端に連結された連結部４２と反対の他端に連結された締結部５、中間部４２ｍの一端に連結されたヒンジ部４２ｋと反対の他端に連結された締結部６とが設けられている。締結部５と締結部６とは、電話機の子機４０を折り曲げて丸めることにより締結および締結解除の操作が可能で、図４は締結解除の状態を示している。
なお、締結部５，６は、筺体４１と連結部４２とを腕輪として締結するためのものであるので、現位置（連結線部）に限らずいずれかの折り曲げ位置（連結線部）に設けるようにしてもよい。
【００３７】  電話機の子機４０は、締結部５と締結部６とを締結して腕（手首）に装着することが可能なものであり、腕輪（ブレスレッド）として携行することができる。すなわち、電話機の子機４０はブレスレット型の電話機の子機である。
この場合、筺体４１の表示面を外側にして腕（手首）に装着した場合、電話機の子機４０の表示機能を腕（手首）に装着したまま視認することができ、電話機の子機４０の入力機能を操作することができる。
【００３８】  また、筺体４１の表示面と反対の背面を外側にして腕（手首）に装着した場合、電話機の子機４０の背面に装飾（例えば、デコレーション携帯にする）を施しておシャレに電話機の子機４０の携行を楽しむことができる。ここで、電話機の子機４０の背面とは、筺体４１の表面と反対の背面に加えて連結部４２を含んでもよい。
なお、このような目的から腕（手首）周りに合わせて締結部５と締結部６の長さは変えることができる。
また、連結部４２は、上述した構成でなくてもよく、例えば筺体４１と連結部４２とが柔らかい樹脂で一体となった構成にしてもよく、要は腕（手首）に装着し易くできればよい。
【００３９】  電話機の子機４０は、Ｂｌｕｅｔｏｏｔｈ（登録商標）を搭載した携帯電話機（スマートフォンを含む）とＢｌｕｅｔｏｏｔｈ（登録商標）接続し、当該携帯電話機との電話の発着信をＢｌｕｅｔｏｏｔｈ（登録商標）の無線通信を介して行うことができる。
例えば、カバンの中に携帯電話機を入れたまま、当該携帯電話機への電話の着信を液晶表示装置４３に表示し、音声出力部２０から着信音を出し、さらに図示しないバイブレータを動作させ、そして受信キー４４を押すことにより腕（手首）に装着した電話機の子機４０で通話をすることができる。その結果、カバンの中に入れていた当該携帯電話機の着信に気が付かないということがなくなる。
【００４０】  なお、電話機の子機４０は、Ｂｌｕｅｔｏｏｔｈ（登録商標）を搭載した固定電話機の子機としても使用することもできる。
さらに、筺体４１に液晶表示装置４３と受信キー４４と切断キー４５とを設けたが、液晶表示装置及びその上に積層された静電容量式タッチパネルとからなる表示一体型タッチパネル装置である液晶タッチパネル（表示部と入力部とが一体）を設けるようにしてもよい。
【００４１】  また、連結部４２に、電話機の子機４０を構成する電子部品（図示せず）と電話機の子機４０のバッテリ（図示せず）とを搭載するようにしてもよい。
また、電話機の子機４０は、液晶表示装置４３に時計表示をすることができ、腕時計としても機能する。
なお、電話機の子機４０は、液晶表示装置４３のような表示部を設けないブレスレット型の電話機の子機としてもよい。
【００４２】  以上説明したように上記第３の実施形態によれば、腕（手首）に装着して腕輪とすることにより、携行に極めて便利な電話機の子機を提供することができる。
なお、上記第３の実施形態では、表示部に液晶表示装置を用いたが有機ＥＬの表示装置でもよく、要は薄型で表示できればよい。
また、第１の実施形態の携帯電話機１、第２の実施形態の携帯電話機３０にも、他の携帯電話機（スマートフォンを含む）または固定電話機との電話の発着信をＢｌｕｅｔｏｏｔｈ（登録商標）の無線通信を介して行うことができるようにしてもよい。
【００４３】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４４】  １，３０…携帯電話機、２，３，４，４２…連結部、１０…音声入力部、１１，３１…第１の筺体、１２，３２…第２の筺体、２０…音声出力部、２１，４３…液晶表示装置（表示部）、２２…入力部、２３…第１の入力部、２４…第２の入力部、３３…第３の筺体、４０…電話機の子機、４１…筺体。
【図１】
2013214933.tif 000003
【図２】
2013214933.tif 000004
【図３】
2013214933.tif 000005
【図４】
2013214933.tif 000006